(57)【特許請求の範囲】
【請求項１】
電子時計の電子時計基板と、多機能部の多機能部基板と、が積層され、
前記電子時計基板は、
前記多機能部と通信を行う第１通信部と、計時を行う時計制御部と、を備え、
前記多機能部基板は、
前記電子時計と通信を行う第２通信部と、前記第２通信部を介して前記電子時計を制御する情報制御部と、を備える携帯情報機器。
【請求項２】
前記多機能部基板は、
携帯端末と通信を行う第３通信部を備え、
前記第３通信部を介して受信したアプリケーションをインストールし、インストールした前記アプリケーションに応じて、前記第２通信部を介して前記電子時計を制御する請求項１に記載の携帯情報機器。
【請求項３】
前記多機能部基板は、
携帯端末と通信を行う第３通信部を介して受信した指示に応じて、前記第２通信部を介して前記電子時計を制御する請求項１または請求項２に記載の携帯情報機器。
【請求項４】
前記電子時計は、
前記多機能部からの切替信号に応じて、計時を行う時計動作モードと、前記多機能部からの指示に応じて表示を行う外部指示動作モードと、に切り替える請求項１から請求項３のいずれか１項に記載の携帯情報機器。
【請求項５】
前記多機能部は、
二次電池を備え、
前記電子時計は、
前記多機能部が備える前記二次電池とは別に、一次電池または二次電池を備える請求項１から請求項４のいずれか１項に記載の携帯情報機器。
【請求項６】
前記電子時計は、
前記多機能部基板に取り付けられている前記二次電池の残容量が所定の容量より小さい場合に、前記多機能部基板との通信を行わない請求項５に記載の携帯情報機器。
【請求項７】
表示部がさらに積層され、
前記表示部は、
前記多機能部と通信を行う第４通信部を備え、前記第４通信部が前記多機能部から受信した情報を表示し、
前記多機能部基板は、
前記表示部と通信を行う第５通信部、を備える請求項１から請求項６のいずれか１項に記載の携帯情報機器。
【請求項８】
前記表示部は、
タッチパネルセンサをさらに備え、
前記多機能部は、
前記タッチパネルセンサが利用者によって操作された結果に応じて、前記電子時計を制御する請求項７に記載の携帯情報機器。
【請求項９】
前記表示部は、
前記電子時計基板と前記多機能部基板とが向き合っている面と反対側の面に積層されている請求項７または請求項８に記載の携帯情報機器。
【請求項１０】
前記電子時計基板は、
指針の運針を行うモータと、
前記モータに対して運針駆動パルスを与えることにより、前記モータを駆動させて指針の運針を行うモータ駆動部と、
前記モータ駆動部の動作を制御する時計動作制御部と、
をさらに備え、
前記時計動作制御部は、
前記第１通信部が受信した動作指示に応じて、前記指針を駆動する請求項１から請求項９のいずれか１項に記載の携帯情報機器。
【請求項１１】
前記電子時計基板は、前記情報制御部の制御電圧を前記時計制御部の制御電圧に変換する電圧変換部を備える請求項１から請求項１０のいずれか１項に記載の携帯情報機器。
【発明の詳細な説明】
【技術分野】
【０００１】
本発明は、携帯情報機器に関する。
【背景技術】
【０００２】
近年、腕時計の方式で手首に装着できるウェアラブルデバイスであるスマートウォッチが開発、発売されている。なお、スマートウォッチとは、時計の機能の他に、演算処理やスマートフォンやタブレット端末等との通信機能等の多機能端末の機能を兼ねた端末である。このようなスマートウォッチでは、多機能端末の機能の処理部の消費電力が大きいため、一般的に充電電池が使用されている。
【０００３】
このように、時計の機能の他に、演算処理や多機能端末の機能を兼ねた端末として、携帯電話にアナログ・クオーツ時計を設けた携帯情報機器が提案されている（例えば、特許文献１参照）。特許文献１に記載の携帯情報機器では、表示部と時計とを有している。また、特許文献１に記載の携帯情報機器の時計は、当該携帯情報機器の機能情報を針式又は機械的に表示する。ここで、機能情報とは、電子メールを着信したことを示す情報、電子メールの着信数の情報、留守電が入ったことを示す情報、留守電数の情報、充電電池の残量を示す情報等である。例えば、携帯情報機器は、携帯情報機器が電子メールを着信したことを分針で表示させ、着信したメールの数を時針で表示させる。
【先行技術文献】
【特許文献】
【０００４】
【特許文献１】特開２００４−６９５６０号公報
【発明の概要】
【発明が解決しようとする課題】
【０００５】
しかしながら、特許文献１の携帯情報機器は、身につけることができず、腕時計として使い勝手が悪かった。
【０００６】
本発明は、上記の問題点に鑑みてなされたものであって、使い勝手のよい携帯情報機器を提供することを目的とする。
【課題を解決するための手段】
【０００７】
上記目的を達成するため、本発明の一態様に係る携帯情報機器は、電子時計の電子時計基板と、多機能部の多機能部基板と、が積層され、前記電子時計基板は、前記多機能部と通信を行う第１通信部と、計時を行う時計制御部と、を備え、前記多機能部基板は、前記電子時計と通信を行う第２通信部と、前記第２通信部を介して前記電子時計を制御する情報制御部と、を備える。
【０００８】
また、本発明の一態様に係る携帯情報機器において、前記多機能部基板は、携帯端末と通信を行う第３通信部を備え、前記第３通信部を介して受信したアプリケーションをインストールし、インストールした前記アプリケーションに応じて、前記第２通信部を介して前記電子時計を制御するようにしてもよい。
【０００９】
また、本発明の一態様に係る携帯情報機器において、前記多機能部基板は、携帯端末と通信を行う第３通信部を介して受信した指示に応じて、前記第２通信部を介して前記電子時計を制御するようにしてもよい。
【００１０】
また、本発明の一態様に係る携帯情報機器において、前記電子時計は、前記多機能部からの切替信号に応じて、計時を行う時計動作モードと、前記多機能部からの指示に応じて表示を行う外部指示動作モードと、に切り替えるようにしてもよい。
【００１１】
また、本発明の一態様に係る携帯情報機器において、前記多機能部は、二次電池を備え、前記電子時計は、前記多機能部が備える前記二次電池とは別に、一次電池または二次電池を備えるようにしてもよい。
【００１２】
また、本発明の一態様に係る携帯情報機器において、前記電子時計は、前記多機能部基板に取り付けられている前記二次電池の残容量が所定の容量より小さい場合に、前記多機能部基板との通信を行わないようにしてもよい。
【００１３】
また、本発明の一態様に係る携帯情報機器において、表示部がさらに積層され、前記表示部は、前記多機能部と通信を行う第４通信部を備え、前記第４通信部が前記多機能部から受信した情報を表示し、前記多機能部基板は、前記表示部と通信を行う第５通信部、を備えるようにしてもよい。
【００１４】
また、本発明の一態様に係る携帯情報機器において、前記表示部は、タッチパネルセンサをさらに備え、前記多機能部は、前記タッチパネルセンサが利用者によって操作された結果に応じて、前記電子時計を制御するようにしてもよい。
【００１５】
また、本発明の一態様に係る携帯情報機器において、前記表示部は、前記電子時計基板と前記多機能部基板とが向き合っている面と反対側の面に積層されているようにしてもよい。
【００１６】
また、本発明の一態様に係る携帯情報機器において、前記電子時計基板は、指針の運針を行うモータと、前記モータに対して運針駆動パルスを与えることにより、前記モータを駆動させて指針の運針を行うモータ駆動部と、前記モータ駆動部の動作を制御する時計動作制御部と、をさらに備え、前記時計動作制御部は、前記第１通信部が受信した動作指示に応じて、前記指針を駆動するようにしてもよい。
また、本発明の一態様に係る携帯情報機器において、前記電子時計基板は、前記情報制御部の制御電圧を前記時計制御部の制御電圧に変換する電圧変換部を備えてもよい。
【発明の効果】
【００１７】
本発明によれば、使い勝手のよい携帯情報機器を提供することができる。
【図面の簡単な説明】
【００１８】
【図１】第１実施形態に係るシステムの概略を説明する図である。
【図２】第１実施形態に係るスマートウォッチの斜視図である。
【図３】図２に示したスマートウォッチの断面構成図である。
【図４】第１実施形態に係るスマートウォッチとスマートフォンの構成を示すブロック図である。
【図５】第１実施形態に係るシステムの動作例を示すシーケンス図である。
【図６】第１実施形態に係る報知部の報知例を説明する図である。
【図７】第２実施形態に係る本実施形態に係るスマートウォッチの斜視図である。
【図８】図７に示したスマートウォッチの断面構成図である。
【図９】第２実施形態に係るスマートウォッチとスマートフォンの構成を示すブロック図である。
【図１０】第２本実施形態に係る表示部に表示される情報の一例を説明する図である。
【図１１】第２実施形態に係る表示部にスマートフォンが受信したメールを表示させた場合の例を説明する図である。
【図１２】第２実施形態に係る表示部の他の積層位置を説明する図である。
【図１３】第２実施形態に係る表示部の他の積層位置を説明する図である。
【図１４】第３実施形態に係るスマートウォッチとスマートフォンの構成を示すブロック図である。
【発明を実施するための形態】
【００１９】
＜第１実施形態＞
以下、本発明の実施形態について図面を参照しながら説明する。
図１は、本実施形態に係るシステムの概略を説明する図である。図１に示すように、本実施形態のシステムは、スマートウォッチ１とスマートフォン９０とで構成される。また、スマートウォッチ１は、スマートウォッチユニット１０と電子時計ユニット３０とで構成される。なお、本実施形態では、携帯情報機器の例としてスマートウォッチ１を用いて説明する。また、携帯端末の例として、スマートフォン９０を例に説明するが、携帯端末は、タブレット端末、携帯ゲーム機器、ノートパソコン等であってもよい。
【００２０】
スマートフォン９０は、スマートウォッチ１のＯＳ（Ｏｐｅｒａｔｉｎｇ  Ｓｙｓｔｅｍ、オペレーティングシステム）、スマートウォッチ１で動作するアプリケーション、指示、または情報をスマートウォッチ１に送信する。また、スマートフォン９０は、スマートウォッチ１から情報を受信する。なお、送信する指示および情報、受信する情報については後述する。スマートウォッチ１は、スマートフォン９０から送信されたＯＳ、アプリケーション、指示、および情報を受信する。
【００２１】
スマートウォッチユニット１０は、受信したアプリケーションに応じて、スマートウォッチユニット１０および電子時計ユニット３０を制御する。電子時計ユニット３０が時刻等を表示する針を備えている場合、スマートウォッチユニット１０は、例えば電子時計ユニット３０の針をクロノグラフの計時を行うように制御する。
【００２２】
次に、スマートウォッチ１の構造について説明する。
図２は、本実施形態に係るスマートウォッチ１の斜視図である。また、図３は、図２に示したスマートウォッチ１の断面構成図である。図３に示すように、スマートウォッチユニット１０のスマートウォッチユニット基板１１と電子時計ユニット３０の電子時計ユニット基板３１とは積層され、通信部１８と通信部４８とを介して接続されている。
【００２３】
以上のように、本実施形態によれば、スマートウォッチユニット基板１１と電子時計ユニット基板３１とを積層したため、スマートウォッチ１をコンパクトにすることができる。この結果、本実施形態のスマートウォッチ１は、利用者が身につけて使用することができるので、使い勝手を向上させることができる。
【００２４】
また、本実施形態によれば、例えば、ｎ（ｎは２以上の整数）種類のスマートウォッチユニット１０−１〜１０−ｎが有り、ｍ（ｍは２以上の整数）種類の電子時計ユニット３０−１〜３０−ｍが有る場合、それぞれのユニットを積層することで、ｎ×ｍ種類のスマートウォッチ１を容易に実現することができる。ｎ種類のスマートウォッチユニット１０とは、例えば、予めアプリケーションがインストールされているもの、アプリケーションの入れ替えや追加が可能なもの、アプリケーションによらずスマートフォン９０から受信した指示に応じて電子時計ユニット３０の動作モードを切り換えるもの等である。また、ｍ種類の電子時計ユニット３０とは、例えばアナログ針によって時刻を表示するもの、デジタル表示によって時刻を表示するもの、文字板のデザインが異なるもの等である。
【００２５】
また、本実施形態によれば、例えば、スマートウォッチユニット１０の製造会社と、電子時計ユニット３０の製造会社とが異なっていても、通信部１８と通信部４８との通信規格が一致していれば積層させることができる。また、電子時計ユニット基板３１を積層させる基板は、スマートウォッチユニット基板１１に限られない。電子時計ユニット基板３１は、例えば、スマートフォン９０やタブレット端末（不図示）、携帯ゲーム機器（不図示）等の基板に積層させるようにしてもよい。
【００２６】
また、図２に示すように、スマートウォッチユニット１０は、電源１２、通信部１８、および情報制御部２５を備える。通信部１８および情報制御部２５は、スマートウォッチユニット基板１１に取り付けられ、電源１２は、スマートウォッチユニット基板１１上に取り付けられ、またはスマートウォッチユニット基板１１に接続されている。スマートウォッチユニット１０は、電源１２の電力によって、例えば１日〜数日の動作を行うことができる。
【００２７】
電子時計ユニット３０は、時針３４、分針３６、秒針３８、電源４０、通信部４８、および時計制御部５０を備える。通信部４８および時計制御部５０は、電子時計ユニット基板３１に取り付けられ、電源４０は、電子時計ユニット基板３１上に取り付けられ、または電子時計ユニット基板３１に接続されている。電子時計ユニット３０は、電源４０の電力によって、例えば２年間の動作を行うことができる。
【００２８】
スマートウォッチユニット１０と電子時計ユニット３０とは、通信部１８と通信部４８とを介して基板間で指示または情報の通信を行う。
なお、スマートウォッチユニット１０と電子時計ユニット３０とは、共通の筐体内（不図示）に収められる。
【００２９】
電子時計ユニット３０は、後述するように、一般的な電子時計と同様に、発振回路、モータ駆動回路、モータ等を備えている。すなわち、電子時計ユニット３０は、通信部４８を備えている電子時計のユニットである。そして、電子時計ユニット３０は、上述したように、電源４０および時計制御部５０を備えているので、スマートウォッチユニット１０の電源１２の電圧が所定値以下になっても単体で動作することができ、さらにスマートウォッチユニット１０から通信部４８を介して受信した指示に応じて、時針３４、分針３６、および秒針３８を動作させることができる。なお、指示または情報については、後述する。
【００３０】
なお、図３に示した断面図では、通信部１８がスマートウォッチユニット基板１１の端に取り付けられ、通信部４８が電子時計ユニット基板３１の端に取り付けられている例を示したが、これに限られない。通信部１８はスマートウォッチユニット基板１１上に取り付けまたは形成されていてもよく、同様に通信部４８は電子時計ユニット基板３１上に取り付けまたは形成されていてもよい。
【００３１】
［スマートウォッチ１の構成］
次に、スマートウォッチ１の構成について説明する。
図４は、本実施形態に係るスマートウォッチ１とスマートフォン９０の構成を示すブロック図である。
図４に示すように、スマートウォッチ１は、スマートウォッチユニット１０および電子時計ユニット３０を備える。
【００３２】
［スマートウォッチユニット１０の説明］
まず、スマートウォッチユニット１０について説明する。
スマートウォッチユニット１０は、電源１２、発振回路１４、記憶部１６、通信部１８、外部通信部２２、および情報制御部２５を備える。
【００３３】
電源１２は、二次電池であり、例えばリチウムイオンポリマー電池である。
発振回路１４は、水晶振動子を備え、水晶振動子の振動に基づいた所定周波数の発振信号を発生させる。発振回路１４は、発生させた発振信号を情報制御部２５に出力する。
【００３４】
記憶部１６には、スマートウォッチユニット１０の各種動作を制御するＯＳ、スマートウォッチユニット１０および電子時計ユニット３０を制御するアプリケーション等が記憶されている。なお、スマートフォン９０が、例えば利用者によってスマートフォン９０が操作されたことを検出して、ＯＳおよびアプリケーションをスマートウォッチユニット１０にインストールする。
【００３５】
通信部１８は、情報制御部２５の制御によって、ＯＳ、アプリケーション、指示、および情報を電子時計ユニット３０に送信し、電子時計ユニット３０から情報を受信する。情報制御部２５が送信する指示または情報は、例えば、現在時刻を示す情報、第２時刻を表示させる指示、クロノグラフの計時を行わせる指示、メールを受信したことを示す情報、着信があったことを示す情報等である。また、情報制御部２５が受信する情報は、例えば、現在時刻を示す情報、クロノグラフによって計時している経過時刻を示す情報等である。
【００３６】
通信部１８と電子時計ユニット３０の通信部４８との通信は、例えばシリアルインタフェース、Ｉ2Ｃ（Ｉｎｔｅｒ−Ｉｎｔｅｇｒａｔｅｄ  Ｃｉｒｃｕｉｔ、アイ・スクエア・シー）、ＳＰＩ（シリアル・ペリフェラル・インタフェース）等の通信規格で通信を行う。なお、通信部１８と通信部４８との指示または情報の通信は、無線による通信でもよい。
【００３７】
外部通信部２２は、情報制御部２５の制御によって、スマートフォン９０からＯＳ、アプリケーション、指示、または情報を受信し、スマートフォン９０に情報を送信する。外部通信部２２が受信する指示または情報は、例えば、ＯＳ、アプリケーション、現在時刻を示す情報、第２時刻を表示させる指示、クロノグラフの計時を行わせる指示、メールを受信したことを示す情報、着信があったことを示す情報等である。また、外部通信部２２が送信する情報は、例えば、現在時刻を示す情報、クロノグラフによって計時している経過時刻を示す情報等である。
【００３８】
情報制御部２５は、電源１２の充放電制御を行う。情報制御部２５は、発振回路１４から入力された発振信号に基づくタイミングで、スマートウォッチユニット１０の各構成要素の機能を制御する。情報制御部２５は、スマートフォン９０から外部通信部２２を介して受信した情報を記憶部１６に記憶させる。情報制御部２５は、スマートフォン９０から外部通信部２２を介して受信した情報に応じて、通信部１８を介して指示または情報を電子時計ユニット３０に送信する。情報制御部２５は、電子時計ユニット３０から通信部１８を介して受信した情報に応じて、外部通信部２２を介して情報をスマートフォン９０に送信する。
【００３９】
なお、外部通信部２２は、例えばＵＳＢ（Ｕｎｉｖｅｒｓａｌ  Ｓｅｒｉａｌ  Ｂｕｓ、ユニバーサル・シリアル・バス）端子であってもよい。この場合、電源１２への充電は、このＵＳＢ端子を介して有線で行う。また、充電は、例えば無接点電力伝送方式による充電であってもよい。
【００４０】
［電子時計ユニット３０の説明］
次に、電子時計ユニット３０について説明する。
図４に示すように電子時計ユニット３０は、時針３４、分針３６、秒針３８、電源４０、発振回路４２、記憶部４４、報知部４５、操作部４７、通信部４８、時計制御部５０、針駆動部５２Ａ、針駆動部５２Ｂ、および針駆動部５２Ｃを備える。
【００４１】
秒針３８は、針駆動部５２Ｃが制御することによって６０秒間で１回転し、分針３６は、針駆動部５２Ｂが制御することによって６０分間で１回転し、時針３４は、針駆動部５２Ａが制御することによって１２時間で１回転する。
電源４０は、一次電池であり、例えば３［Ｖ］のコインリチウム電池である。なお、電源４０は、ソーラーパネルと二次電池を備えていてもよい。
【００４２】
発振回路４２は、水晶振動子を備え、水晶振動子の振動に基づいた所定周波数（例えば３２［ｋＨｚ］）の発振信号を発生させる。発振回路４２は、発生させた発振信号を分周して計時に用いられる基準信号を生成する。基準信号の駆動周波数は、例えば１［Ｈｚ］である。発振回路４２は、生成した基準信号を時計制御部５０に出力する。
【００４３】
記憶部４４には、動作モードを示す情報、時計制御部５０が通信部４８を介してスマートウォッチユニット１０から受信した指示または情報等が記憶される。なお、動作モードとは、時刻を計時して表示する時計動作モード、クロノグラフにより時刻を計時して表示するクロノグラフ動作モード、情報表示モード等である。また、情報表示モードとは、スマートウォッチユニット１０が、スマートフォン９０から受信した情報を、例えば時針３４、分針３６、および秒針３８のうち少なくとも１つの針を用いて報知するモードである。
【００４４】
報知部４５は、時計制御部５０から入力された報知情報を報知する。なお、報知情報とは、例えばスマートフォン９０がメールを受信したことを示す情報、またはスマートフォン９０が着信したことを示す情報である。
【００４５】
操作部４７は、利用者によって操作された操作結果を時計制御部５０に出力する。操作部４７は、竜頭４７Ａ（リューズ）およびモード切替ボタン４７Ｂを備えている（図６参照）。モード切替ボタン４７Ｂは、インストールされるアプリケーションに応じて動作が異なる。インストールされたアプリケーションが、例えば時計動作モードとクロノグラフ動作モードとを切り替えて電子時計ユニット３０を制御する場合、モード切替ボタン４７Ｂを所定の時間内に１回押したときに時計動作モードに切り替わり、所定の時間内に２回押した場合にクロノグラフ動作モードに切り替わる。
通信部４８は、時計制御部５０の制御によって、スマートウォッチユニット１０からの情報を受信し、またはスマートウォッチユニット１０に情報を送信する。
【００４６】
時計制御部５０は、発振回路４２から入力された基準信号を用いて現在時刻の計時を行う。時計制御部５０は、計時した結果に基づいて駆動パルスを生成する駆動パルス生成指示を生成し、生成した駆動パルス生成指示を針駆動部５２Ａ、針駆動部５２Ｂ、および針駆動部５２Ｃに出力する。時計制御部５０は、通信部４８を介してスマートウォッチユニット１０から受信した情報を報知部４５に報知させる報知情報を生成し、生成した報知情報を報知部４５に出力する。時計制御部５０は、操作部４７から入力された操作結果に応じて、動作モードを切り替える。時計制御部５０は、通信部４８を介してスマートウォッチユニット１０から受信した情報に応じて、現在時刻を示す情報、またはクロノグラフによって計時された時刻を示す情報等を、通信部４８を介してスマートウォッチユニット１０に送信する。なお、時計制御部５０は、スマートウォッチユニット１０から受信した切替指示に応じて、時計動作モードから外部指示動作モードへ切り替え、または外部指示動作モードから時計動作モードへ切り替える。なお、外部指示動作モードとは、スマートウォッチユニット１０からの指示に応じて表示を行う動作モードであり、例えばクロノグラフ動作モード、アラーム動作モード、スマートフォン９０がメールを受信したことを報知する動作モード、スマートフォン９０に着信があったことを報知する動作モード等である。また、切替指示は、動作モードを切り替える指示であってもよく、例えば時計動作モードからクロノグラフ動作モードに切り替える指示、クロノグラフ動作モードから時計動作モードに切り替える指示等であってもよい。
【００４７】
針駆動部５２Ａは、モータ駆動回路５４Ａおよびモータ５６Ａを備える。針駆動部５２Ｂは、モータ駆動回路５４Ｂおよびモータ５６Ｂを備える。針駆動部５２Ｃは、モータ駆動回路５４Ｃおよびモータ５６Ｃを備える。以下、針駆動部５２Ａ、針駆動部５２Ｂ、および針駆動部５２Ｃのうち１つを特定しない場合は、針駆動部５２という。また、モータ駆動回路５４Ａ、モータ駆動回路５４Ｂ、およびモータ駆動回路５４Ｃのうち１つを特定しない場合は、モータ駆動回路５４という。さらに、モータ５６Ａ、モータ５６Ｂ、およびモータ５６Ｃのうち１つを特定しない場合は、モータ５６という。
【００４８】
モータ駆動回路５４は、時計制御部５０から入力された駆動パルス生成指示に応じて運針駆動パルスを生成し、生成した運針駆動パルス信号をモータ５６に出力する。
モータ５６は、ステッピングモータである。モータ５６Ａは、モータ駆動回路５４Ａから入力された運針駆動パルス信号に応じて、時針３４の運針を行う。
モータ５６Ｂは、モータ駆動回路５４Ｂから入力された運針駆動パルス信号に応じて、分針３６の運針を行う。
モータ５６Ｃは、モータ駆動回路５４Ｂから入力された運針駆動パルス信号に応じて、秒針３８の運針を行う。
【００４９】
［スマートフォン９０の構成］
次に、スマートフォン９０の構成について説明する。
図４に示すように、スマートフォン９０は、電源９１、発振回路９２、記憶部９３、表示部９４、操作部９５、外部通信部９６、公衆無線通信部９７、および端末制御部９８を備える。なお、スマートフォン９０は、例えば、不図示のマイクロフォン、スピーカー、電源のオン・オフ切り替えスイッチ、音量調整用ボタン、マナーモードボタン等を有していてもよい。
【００５０】
電源９１は、二次電池であり、例えばリチウムイオンポリマー電池である。
発振回路９２は、水晶振動子を備え、水晶振動子の振動に基づいた所定周波数の発振信号を発生させる。発振回路９２は、発生させた発振信号を端末制御部９８に出力する。
記憶部９３には、スマートフォン９０の各種動作を制御するＯＳ、電子時計を制御するアプリケーション等が記憶されている。
【００５１】
表示部９４には、端末制御部９８の制御に応じて文字情報や画像情報が表示される。表示部９４は、例えば、液晶（ＬＣＤ、Ｌｉｑｕｉｄ  Ｃｒｙｓｔａｌ  Ｄｉｓｐｌａｙ）パネル、有機ＥＬ（エレクトロルミネセンスパネル）パネル等である。
【００５２】
操作部９５は、タッチパネルセンサであり、利用者による操作の入力を受け付ける。操作部９５は、例えば表示部９４上に取り付けられている。操作部９５は、操作によって入力されたことを示す情報や入力された情報を、端末制御部９８に出力する。
【００５３】
外部通信部９６は、端末制御部９８の制御によって、スマートウォッチ１から情報を受信し、受信した情報を端末制御部９８に出力する。また、外部通信部９６は、端末制御部９８の制御によって、スマートウォッチ１にＯＳ、アプリケーション、および情報を送信する。外部通信部９６とスマートウォッチユニット１０の外部通信部２２とは、例えば２．４［ＧＨｚ］帯を用いるＢｌｕｅｔｏｏｔｈ（登録商標）  ＬＥ（Ｌｏｗ  Ｅｎｅｒｇｙ）規格の通信方式を用いて通信を行う。
【００５４】
公衆無線通信部９７は、例えば第３世代移動通信システムや第４世代移動通信システム等を用いて通信を行い、端末制御部９８の制御によって、不図示のネットワークから情報を受信し、ネットワークに情報を送信する。
【００５５】
端末制御部９８は、スマートフォン９０が備える各構成要素の制御を行う。端末制御部９８は、例えば操作部９５が利用者によって操作された結果に応じて、アプリケーションを起動し、アプリケーションの操作画面を表示部９４に表示させる。また、端末制御部９８は、アプリケーションの指示に応じて、外部通信部９６を介して、スマートウォッチ１にＯＳ、アプリケーション、指示、または情報を送信し、スマートウォッチ１から情報を受信する。
【００５６】
［システムの動作例］
次に、システムの動作例を説明する。図５は、本実施形態に係るシステムの動作例を示すシーケンス図である。
（ステップＳ１）スマートフォン９０の端末制御部９８は、外部通信部９６を介してＯＳを、スマートウォッチユニット１０に送信する。
（ステップＳ２）スマートウォッチユニット１０の情報制御部２５は、外部通信部２２を介してＯＳを受信し、受信したＯＳを記憶部１６にインストールする。続けて、情報制御部２５は、ＯＳのインストールが完了した後、インストールが完了したことを示す情報を、外部通信部２２を介してスマートフォン９０に送信する。
【００５７】
（ステップＳ３）端末制御部９８は、外部通信部９６を介してアプリケーションを、スマートウォッチユニット１０に送信する。
（ステップＳ４）情報制御部２５は、外部通信部２２を介してアプリケーションを受信し、受信したアプリケーションを記憶部１６にインストールする。続けて、情報制御部２５は、アプリケーションのインストールが完了した後、インストールが完了したことを示す情報を、外部通信部２２を介してスマートフォン９０に送信する。
【００５８】
（ステップＳ５）端末制御部９８は、外部通信部９６を介して切替指示を、スマートウォッチユニット１０に送信する。なお、図５に示す例において、切替指示は、時計動作モードからクロノグラフ動作モードに切り替える指示である。
（ステップＳ６）情報制御部２５は、外部通信部２２を介して切替指示を受信する。続けて、端末制御部９８は、受信した切替指示に基づいてクロノグラフ動作モードに切り替える切替指示を、通信部１８を介して、電子時計ユニット３０に送信する。
【００５９】
（ステップＳ７）電子時計ユニット３０の時計制御部５０は、通信部４８を介して切替指示を受信する。続けて、時計制御部５０は、インストールされているアプリケーションの制御によって、受信した切替指示に応じて、動作モードを時計動作モードからクロノグラフ動作モードに切り替える。
（ステップＳ８）時計制御部５０は、クロノグラフ動作モードで動作するように、秒針３８、分針３６、および時針３４を制御する。
【００６０】
（ステップＳ９）端末制御部９８は、外部通信部９６を介して切替指示を、スマートウォッチユニット１０に送信する。なお、図５に示す例において、切替指示は、クロノグラフ動作モードから時計動作モードに切り替える指示である。
（ステップＳ１０）情報制御部２５は、外部通信部２２を介して切替指示を受信し、受信した切替指示を、通信部１８を介して、電子時計ユニット３０に送信する。
【００６１】
（ステップＳ１１）電子時計ユニット３０の時計制御部５０は、通信部４８を介して切替指示を受信する。続けて、時計制御部５０は、インストールされているアプリケーションの制御によって、受信した切替指示に応じて、動作モードをクロノグラフ動作モードから時計動作モードに切り替える。
（ステップＳ１２）時計制御部５０は、時計動作モードで動作するように、秒針３８、分針３６、および時針３４を制御する。
【００６２】
なお、図５に示した例では、端末制御部９８が切替指示を送信する例を説明したが、端末制御部９８は、この切替指示を、例えば以下のように生成する。
端末制御部９８は、利用者によってスマートウォッチ１の動作モードを切り替えるアプリケーションのアイコン（不図示）がタッチされたことを検出したとき、アイコンに対応するアプリケーションを起動する。そして、端末制御部９８は、インストールされているアプリケーションの指示に応じて、スマートウォッチ１に切替指示を送信する。
【００６３】
また、図５に示した例では、端末制御部９８が切替指示を送信する例を説明したが、これに限られない。例えばステップＳ７において、情報制御部２５は、スマートウォッチ１のモード切替ボタン４７Ｂが利用者によって操作され、クロノグラフ動作モードに切り替える指示が選択されたことを検出したとき動作モードの切り替えを行うようにしてもよい。この場合、情報制御部２５は、インストールされたアプリケーションによって、電子時計ユニット３０を制御する。
【００６４】
以上のように本実施形態の携帯情報機器（スマートウォッチ１）は、電子時計（電子時計ユニット３０）の電子時計基板（電子時計ユニット基板３１）と、多機能部（スマートウォッチユニット１０）の多機能部基板（スマートウォッチユニット基板１１）と、が積層され、電子時計基板は、多機能部と通信を行う第１通信部（通信部４８）と、計時を行う時計制御部５０と、を備え、多機能部基板は、電子時計と通信を行う第２通信部（通信部１８）と、第２通信部を介して電子時計を制御する情報制御部２５と、を備える。
【００６５】
この構成によって、本実施形態のスマートウォッチ１は、スマートウォッチユニット基板１１と電子時計ユニット基板３１とを積層したため、スマートウォッチ１をコンパクトにすることができる。この結果、本実施形態のスマートウォッチ１は、利用者が身につけて使用することができるので、使い勝手を向上させることができる。
また、本実施形態によれば、例えば、ｎ種類のスマートウォッチユニット１０−１〜１０−ｎが有り、ｍ種類の電子時計ユニット３０−１〜３０−ｍが有る場合、それぞれのユニットを積層することで、ｎ×ｍ種類のスマートウォッチ１を容易に実現することができる。換言すれば、電子時計ユニットを、複数種類の様々なスマートウォッチユニットに取付ける際に、その利便性が向上する。
また、本実施形態によれば、例えば、スマートウォッチユニット１０の製造会社と、電子時計ユニット３０の製造会社とが異なっていても、通信部１８と通信部４８との通信規格が一致していれば積層させることができる。
【００６６】
また、本実施形態の携帯情報機器（スマートウォッチ１）において、多機能部基板（スマートウォッチユニット基板１１）は、携帯端末（スマートフォン９０）と通信を行う第３通信部（外部通信部２２）を備え、第３通信部を介して受信したアプリケーションをインストールし、インストールしたアプリケーションに応じて、第２通信部を介して前記電子時計を制御する。
【００６７】
この構成によって、本実施形態のスマートウォッチ１は、スマートウォッチユニット１０に機能を付加した電子時計ユニット３０を用いて、時計をスマートウォッチユニット１０のアプリケーションに連動させることができる。また、本実施形態によれば、時計をスマートウォッチユニット１０のアプリケーションに連動させていない場合も、単独の時計として使用することができる。
【００６８】
また、本実施形態の携帯情報機器（スマートウォッチ１）において、電子時計（電子時計ユニット３０）は、多機能部（スマートウォッチユニット１０）からの切替信号に応じて、計時を行う時計動作モードと、多機能部からの指示に応じて表示を行う外部指示動作モードと、に切り替える。
【００６９】
この構成によって、本実施形態のスマートウォッチ１は、スマートフォン９０等の外部機器からの指示に応じて、動作モードを切り替えることができる。
【００７０】
また、本実施形態の携帯情報機器（スマートウォッチ１）において、多機能部（スマートウォッチユニット１０）は、二次電池（電源１２）を備え、電子時計（電子時計ユニット３０）は、多機能部が備える二次電池とは別に、一次電池（電源４０の一例）または二次電池（電源４０の一例）を備える。
【００７１】
この構成によって、本実施形態のスマートウォッチ１は、電子時計ユニット３０も電源４０を備えているので、スマートウォッチユニット１０の電源１２の容量が所定の容量以下になった場合であっても、計時を行うことができるので、単独の時計として使用することができる。
【００７２】
［システムの他の動作例］
なお、図４および図５を用いて説明した例では、インストールされたアプリケーションに応じて、スマートウォッチユニット１０が電子時計ユニット３０の動作モードを切り替える例を説明したが、これに限られない。スマートウォッチユニット１０は、自ら動作モードを切り替えるのではなく、スマートフォン９０からの指示に応じて、電子時計ユニット３０を制御するようにしてもよい。
【００７３】
スマートフォン９０からの指示に応じて、電子時計ユニット３０を制御する場合の動作例を、図５を参照して説明する。
例えば、利用者がスマートウォッチ１の動作モードを時計モードからクロノグラフ動作モードに切り替える例を説明する。
【００７４】
利用者は、スマートフォン９０の操作部９５を操作して、動作モードを切り替えるアプリケーションを選択する。端末制御部９８は、操作部９５が検出した結果に応じて、アプリケーションを起動する。利用者は、起動されたアプリケーションの操作画面において、クロノグラフ動作モードを選択する。続けて、端末制御部９８は、スマートウォッチユニット１０に切替指示を、外部通信部９６を介して送信する（ステップＳ５）。なお、切替指示には、時計動作モードからクロノグラフ動作モードに切り替える指示が含まれている。
【００７５】
情報制御部２５は、外部通信部２２を介して切替指示を受信し、受信した切替指示を、通信部１８を介して、電子時計ユニット３０に送信する（ステップＳ６）。
時計制御部５０は、通信部４８を介して切替指示を受信し、受信した切替指示に応じて、動作モードを時計動作モードからクロノグラフ動作モードに切り替える（ステップＳ７）。すなわち、情報制御部２５は、アプリケーションによって切替指示を生成するのではなく、スマートフォン９０から受信した切替指示を電子時計ユニット３０に送信している。これにより、電子時計ユニット３０の動作モードは、スマートフォン９０から情報制御部２５が受信した指示によって切り替えられる。
【００７６】
なお、上述した例では、スマートフォン９０から受信した指示に応じて、電子時計ユニット３０の動作モードを情報制御部２５が切り替える例を説明したが、これに限られない。例えば、スマートフォン９０が送信する指示は、スマートフォン９０がメールを受信したことを報知する指示、着信があったことを報知する指示等であってもよい。このような場合であっても、時計制御部５０は、スマートウォッチユニット１０から受信した指示に応じて、例えば図６に示したように指針４５Ａ、指針４５Ｂ、および文字板４５Ｃを用いて指示に応じた報知を行うようにしてもよい。
【００７７】
図６は、本実施形態に係る報知部４５の報知例を説明する図である。
図６に示す例では、時計制御部５０は、メールを受信したことを指針４５Ａによって報知させ、着信があったことを指針４５Ｂによって報知させる。
なお、図６に示した例では、指針が２本の例を示したが、これに限られない。指針の数は、１本以上であればよい。また、時計制御部５０は、指針４５Ａでメールを受信したことを報知させ、指針４５Ｂで受信したメール数を報知させるようにしてもよい。同様に、時計制御部５０は、指針４５Ａで着信したことを報知させ、指針４５Ｂで着信数を報知させるようにしてもよい。
【００７８】
以上のように本実施形態の携帯情報機器（スマートウォッチ１）において、多機能部基板（スマートウォッチユニット基板１１）は、携帯端末（スマートフォン９０）と通信を行う第３通信部（外部通信部２２）を介して受信した指示に応じて、第２通信部（通信部１８）を介して電子時計（電子時計ユニット３０）を制御する。
【００７９】
この構成によって、本実施形態のスマートウォッチ１は、スマートフォン９０等の外部機器からの指示に応じて、電子時計ユニット３０の動作を制御することができる。
【００８０】
なお、本実施形態では、電子時計ユニット３０が文字板３２、時針３４、分針３６、および秒針３８によって時刻を表示する例を説明したが、これに限られない。電子時計ユニット３０は、液晶パネル等の表示部によって時刻等を表示させるようにしてもよい。または、針と液晶パネル等の表示部の両方を有していてもよい。このような場合であっても、時計制御部５０は、スマートウォッチユニット１０から受信した指示に応じて、液晶パネルに指示に応じた報知を行うようにしてもよい。
また、報知部４５は、針、液晶等のパネルに限られず、例えばＬＥＤ（発光ダイオード）、スピーカー等であってもよい。時計制御部５０は、例えば、スマートフォン９０がメールを受信したことを、ＬＥＤを点灯または点滅させることで報知するようにしてもよい。
【００８１】
また、本実施形態において、スマートウォッチユニット１０と電子時計ユニット３０とは、例えば所定の間隔毎、またはスマートウォッチユニット１０からの割り込み信号に応じて通信を行う。
なお、スマートウォッチユニット１０の電源１２の電圧値が所定の電圧値より低くなった場合、情報制御部２５は、電子時計ユニット３０との通信を停止して、スマートウォッチユニット１０を省電力で動作するように制御するようにしてもよい。この場合であって、電子時計ユニット３０は、スマートウォッチユニット１０とは別の電源４０と時計制御部５０とを備えているため、時計としての動作を継続することができる。これにより、利用者は、スマートウォッチ１を電子時計として継続して利用することができる。
【００８２】
＜第２実施形態＞
第１実施形態では、スマートウォッチ１がスマートウォッチユニット１０と電子時計ユニット３０とで構成されている例を説明したが、本実施形態では、スマートウォッチ１が、さらに表示部８０を備えている例を説明する。なお、第１実施形態と同じ機能を有する機能部については、同じ符号を用いて、説明を省略する。
【００８３】
図７は、本実施形態に係るスマートウォッチ１Ａの斜視図である。また、図８は、図７に示したスマートウォッチ１Ａの断面構成図である。図８に示すように、スマートウォッチ１Ａは、スマートウォッチユニット基板１１Ａの上に電子時計ユニット基板３１が積層され、さらに、電子時計ユニット基板３１の上に表示部８０が積層されている。スマートウォッチ１Ａは、スマートウォッチユニット基板１１Ａと表示部８０とが、通信部２７と通信部８７とを介して接続されている。
【００８４】
図７に示すように、スマートウォッチユニット１０Ａは、さらに通信部２７を備える。通信部２７は、スマートウォッチユニット基板１１Ａに取り付けられている。
表示部８０は、通信部８７を備える。通信部８７は、表示部８０に取り付けられている。
スマートウォッチユニット１０と表示部８０とは、通信部２７と通信部８７とを介して表示データまたは検出情報の通信を行う。
なお、スマートウォッチユニット１０Ａと電子時計ユニット３０と表示部８０とは、不図示の共通の筐体内に収められる。
【００８５】
なお、図８に示した断面図では、通信部２７がスマートウォッチユニット基板１１Ａの端に取り付けられ、通信部８７が表示部８０の端に取り付けられている例を示したが、これに限られない。通信部２７はスマートウォッチユニット基板１１Ａ上に取り付けまたは形成されていてもよく、同様に通信部８７は表示部８０上に取り付けまたは形成されていてもよい。
【００８６】
［スマートウォッチ１Ａの構成］
次に、スマートウォッチ１Ａの構成について説明する。
図９は、本実施形態に係るスマートウォッチ１Ａとスマートフォン９０の構成を示すブロック図である。
図９に示すように、スマートウォッチ１Ａは、スマートウォッチユニット１０Ａ、電子時計ユニット３０、および表示部８０を備える。
【００８７】
［表示部８０の説明］
まず、表示部８０について説明する。
表示部８０は、表示パネル８２、タッチパネルセンサ８４、および通信部８７を備える。
表示パネル８２には、スマートウォッチユニット１０Ａから受信した文字情報や画像情報の表示データが表示される。表示パネル８２は、例えば、液晶パネル、有機ＥＬ（エレクトロルミネセンスパネル）パネル等である。
【００８８】
タッチパネルセンサ８４は、利用者の操作を検出し、検出した操作結果を、通信部８７を介してスマートウォッチユニット１０Ａに送信する。
通信部８７は、例えばコネクタを含む。通信部８７は、スマートウォッチユニット１０Ａから受信した表示データを表示パネル８２に出力する。また、通信部８７は、タッチパネルセンサ８４から入力された操作結果を、スマートウォッチユニット１０Ａに送信する。
【００８９】
［スマートウォッチユニット１０Ａの説明］
次に、スマートウォッチユニット１０Ａについて説明する。
スマートウォッチユニット１０Ａは、さらに表示制御部２０、駆動部２１、および通信部２７を備える。
【００９０】
情報制御部２５Ａは、インストールされているアプリケーションに応じて、表示部８０に表示させる表示データを生成し、生成した表示データを表示制御部２０に出力する。情報制御部２５Ａは、通信部２７から入力された操作結果に基づいて、表示データの生成を行う。または、情報制御部２５Ａは、電子時計ユニット３０を制御する指示を生成し、生成した指示を、通信部１８を介して電子時計ユニット３０に送信する。
【００９１】
表示制御部２０は、情報制御部２５Ａから入力された表示データに基づいて、駆動部２１と通信部２７とを介して表示パネル８２に表示データを表示させる。
駆動部２１は、表示制御部２０の制御によって表示駆動信号を生成し、生成した表示駆動信号を通信部２７に出力する。
通信部２７は、例えばコネクタを含む。通信部２７は、駆動部２１から入力された表示駆動信号を通信部８７に送信する。また、通信部２７は、通信部８７から受信した操作結果を情報制御部２５Ａに出力する。
【００９２】
［スマートウォッチ１Ａの表示部８０に表示される情報の一例］
次に、スマートウォッチ１Ａの表示部８０に表示される情報の一例を説明する。
図１０は、本実施形態に係る表示部８０に表示される情報の一例を説明する図である。図１０において、破線の四角ｇ１０１で囲んだ領域の画像は、表示部８０に表示される画像の一例である。図１０に示した例では、スマートウォッチユニット１０にインストールされているアプリケーションが、４つの動作モードを切り替えて電子時計ユニット３０を制御する。アイコンｇ１１１は、電子時計ユニット３０を時計として動作させる動作モードに対応し、アイコンｇ１１２は、電子時計ユニット３０をクロノグラフとして動作させる動作モードに対応する。また、アイコンｇ１１３は、電話動作モードに対応する。なお、電話動作モードとは、スマートフォン９０に着信があったとき、スマートウォッチ１Ａから応答、拒否、または応答できないため予め設定されているメーセージを、電子時計ユニット３０に送信する操作を選択し、着信があったことを電子時計ユニット３０に報知させる動作モードである。また、アイコンｇ１１４は、スマートフォン９０がメールを受信したことを報知し、受信したメール数を報知し、受信したメールを表示部８０に表示させるメール動作モードに対応する。
【００９３】
例えば、利用者によってアイコンｇ１１２がタッチされて選択された場合、情報制御部２５Ａは、電子時計ユニット３０にクロノグラフ動作モードに切り替える切替指示を送信する。これにより、電子時計ユニット３０は、クロノグラフとして動作する。
また、利用者によってアイコンｇ１１４がタッチされて選択された場合、情報制御部２５Ａは、電子時計ユニット３０にメール動作モードに切り替える切替指示を送信する。これにより、電子時計ユニット３０は、例えば図６に示したように指針４５Ａによってメールを受信したことを報知する。
【００９４】
なお、図１０に示した例では、表示部８０は、針（時針３４、分針３６、および秒針３８）が見えないように表示パネル８２（図９）を不透明になるように制御する例であるが、これに限られない。情報制御部２５Ａは、表示パネル８２を半透明になるように制御してもよい。これにより、利用者は針（時針３４、分針３６、および秒針３８）の表示によって現在時刻も確認することができる。
【００９５】
また、アイコンｇ１１４が選択された後、情報制御部２５Ａは、スマートフォン９０に受信したメールの情報を送信する指示を送信するようにしてもよい。スマートフォン９０の端末制御部９８は、スマートウォッチ１Ａから受信したメールの情報を送信する指示に応じて、受信したメールの情報をスマートウォッチ１Ａに送信する。
図１１は、本実施形態に係る表示部８０にスマートフォン９０が受信したメールを表示させた場合の例を説明する図である。
【００９６】
図１１に示すように、情報制御部２５Ａは、スマートフォン９０から受信したメールの情報を、表示部８０に表示させる。鎖線の四角で囲んだｇ１２１の領域の画像は、受信したメールをテキストとして表示部８０に表示させた例である。図１１に示した例は、表示部８０の表示パネル８２が半透明の場合の例である。このため、表示部８０に受信したメールのテキストが表示された場合であっても、表示部８０の下に積層されている電子時計ユニット３０の針（時針３４、分針３６、および秒針３８）によって、現在時刻を利用者が確認することができる。
【００９７】
なお、図１１に示した表示例は一例であり、これに限られない。情報制御部２５Ａは、受信したメールのテキストを、針（時針３４、分針３６、および秒針３８）と重ならない領域に表示させるようにしてもよい。または、情報制御部２５Ａは、針（時針３４、分針３６、および秒針３８）の位置を例えば１２時の位置等に一時的に退避させ、受信したメールのテキストを、３時のインデックスバーと９時のインデックスバーとを結ぶ領域より下の領域に表示させるようにしてもよい。
【００９８】
［表示部８０の他の配置の説明］
次に、表示部８０の配置について説明する。
図７および図８に示した例では、表示部８０が電子時計ユニット基板３１の針（時針３４、分針３６、および秒針３８）の上に積層されている例を説明したが、これに限られない。
図１２および図１３は、本実施形態に係る表示部８０の他の積層位置を説明する図である。
図１２に示すように、表示部８０は、電子時計ユニット３０の文字板３２の上に積層されていてもよい。または、表示部８０は、スマートウォッチユニット基板１１Ａの面のうち、電子時計ユニット基板３１と向き合ってる面と反対側の面側（図１２においてスマートウォッチユニット基板１１Ａの底面側）に積層されていてもよい。
図１３に示すように、表示部８０は、電子時計ユニット基板３１と文字板３２の間に積層されていてもよい。この場合、文字板３２は透明または半透明である。
【００９９】
以上のように、本実施形態の携帯情報機器（スマートウォッチ１Ａ）は、表示部８０がさらに積層され、表示部は、多機能部（スマートウォッチユニット１０Ａ）と通信を行う第４通信部（通信部８７）を備え、第４通信部が多機能部から受信した情報を表示し、多機能部基板（スマートウォッチユニット基板１１Ａ）は、表示部と通信を行う第５通信部（通信部２７）、を備える。
【０１００】
また、本実施形態の携帯情報機器（スマートウォッチ１Ａ）において、表示部８０は、電子時計基板（電子時計ユニット基板３１）と多機能部基板（スマートウォッチユニット基板１１Ａ）とが向き合っている面と反対側の面に積層されている。
【０１０１】
この構成によって、本実施形態のスマートウォッチ１Ａは、スマートウォッチ１Ａにインストールされているアプリケーションに応じた画像を表示部８０上に表示させることができる。
【０１０２】
また、本実施形態の携帯情報機器（スマートウォッチ１Ａ）において、表示部８０は、タッチパネルセンサ８４をさらに備え、多機能部（スマートウォッチユニット１０Ａ）は、タッチパネルセンサが利用者によって操作された結果に応じて、電子時計（電子時計ユニット３０）を制御する。
【０１０３】
この構成によって、本実施形態のスマートウォッチ１Ａは、スマートウォッチ１Ａにインストールされているアプリケーションに応じて、電子時計ユニット３０を制御することができる。これにより、利用者は、１つの時計を、例えば時刻を表示する時計としてのみではなく、クロノグラフとしても利用することができる。
【０１０４】
＜第３実施形態＞
本実施形態では、電子時計ユニット３０は、さらに入力側に電圧変換部１１０を備えている例を説明する。なお、第１実施形態または第２実施形態と同じ機能を有する部分については、同じ符号を用いて、説明を省略する。システムの動作についても、上述の実施形態と同様である。
【０１０５】
図１４は、本実施形態のブロック構成を示している。第１実施形態のブロック構成において、電圧変換部１１０を、通信部４８の後段で、時計制御部５０の入力部分に配置した構成となっている。
具体的には、電圧変換部１１０は、スマートウォッチユニット１０のシステム電圧を、電子時計ユニット３０を駆動する低いシステム電圧に変換している。たとえば、基板に実装されたレギュレータにより、情報制御部２５の駆動電圧（例えば、３Ｖ）を、時計制御部５０の駆動電圧（例えば、１．５Ｖ）に落とす。なお、このレギュレータの機能は、時計制御部５０の内部に組み込まれていてもよい。また、レギュレータには放熱機能が付加されていてもよい。また、電圧変換部１１０は昇圧回路を含むことにより、電子時計ユニット３０のシステム電圧に応じた任意の電圧を作り出すこともできる。
【０１０６】
このような電圧変換部１１０により、スマートウォッチユニット１０の制御電圧より低い電圧で電子時計ユニットを制御できるため、電子時計ユニットとして低消費電力化を図ることができる。よって、電子時計ユニットが複数種類の様々なスマートウォッチユニットに取付けられたとしても、電子時計ユニットの機能を長期に亘り保証することが可能となる。
電子時計ユニット３０は、その大きさの制約からシステム電圧も低く設定しておき、指針３４等を駆動するモータ５６Ａ等の制御電圧も低く設定しておくことが可能であるが、一方でスマートウォッチユニット１０は複数の多くの機能を実行しなければならないため高めのシステム電圧に設定されている。本実施形態においては、このような事情においても、電子時計ユニット３０の機能を確保することができ、スマートウォッチ１全体として時計機能の長期確保を可能とする。
【０１０７】
なお、第１実施形態および第２実施形態では、スマートウォッチ１または１Ａの指示によって、電子時計ユニット３０にメールの受信の報知、電話の着信の報知、時計動作、クロノグラフ動作を行わせる例を説明したが、これに限られない。
例えば、スマートフォン９０が温度センサを有している場合、スマートウォッチ１または１Ａは、スマートフォン９０から受信した温度を示す情報を電子時計ユニット３０に報知させる指示を送信するようにしてもよい。スマートウォッチ１または１Ａから電子時計ユニット３０に送信する指示は、気圧を報知する指示、設定された時刻になったことを報知する指示等であってもよい。また、温度センサ等の各種センサを、スマートウォッチユニット１０または１０Ａが有していてもよい。
【０１０８】
また、第１実施形態および第２実施形態において、スマートウォッチ１または１Ａが、スマートフォン９０から受信したＯＳ、アプリケーションをインストールする例を説明したがこれに限られない。例えば外部通信部２２がＵＳＢ端子の場合、スマートウォッチ１または１Ａを不図示のＵＳＢケーブルで不図示のパソコンと接続し、パソコンからＯＳおよびアプリケーションをスマートウォッチ１または１Ａに送信するようにしてもよい。または、外部通信部２２が無線通信部の場合、情報制御部２５または２５Ａは、ネットワークを介してＯＳおよびアプリケーションを取得して、取得したＯＳおよびアプリケーションをインストールするようにしてもよい。
また、上述のように、第３実施形態における電圧変換部１１０は、第１実施形態に付加した機能であるが、第２実施形態についても付加することができる。
【０１０９】
なお、上述した実施形態におけるスマートウォッチ１または１Ａが備える構成要素のそれぞれの機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１１０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【０１１１】
１、１Ａ…スマートウォッチ、１０、１０Ａ…スマートウォッチユニット、１１、１１Ａ…スマートウォッチユニット基板、１２…電源、１４…発振回路、１６…記憶部、１８…通信部、２２…外部通信部、２４…操作部、２５…情報制御部、２７、８２…接続部、３０、３０Ａ…電子時計ユニット、３１、３１Ａ…電子時計ユニット基板、３２、４５Ｃ…文字板、３４…時針、３６…分針、３８…秒針、４０…電源、４２…発振回路、４４…記憶部、４５…報知部、４５Ａ、４５Ｂ…指針、４７…操作部、４８…通信部、５０…時計制御部、５２Ａ、５２Ｂ、５２Ｃ…針駆動部、５４Ａ、５４Ｂ、５４Ｃ…モータ駆動部、５６Ａ、５６Ｂ、５６Ｃ…モータ、８０…表示部、８２…表示パネル、８４…タッチパネルセンサ、８７…通信部、９０…スマートフォン、９１…電源、９２…発振回路、９３…記憶部、９４…表示部、９５…操作部、９６…外部通信部、９７…公衆無線通信部、９８…端末制御部、１１０…電圧変換部
【図１】
0006554407.tif 000002
【図２】
0006554407.tif 000003
【図３】
0006554407.tif 000004
【図４】
0006554407.tif 000005
【図５】
0006554407.tif 000006
【図６】
0006554407.tif 000007
【図７】
0006554407.tif 000008
【図８】
0006554407.tif 000009
【図９】
0006554407.tif 000010
【図１０】
0006554407.tif 000011
【図１１】
0006554407.tif 000012
【図１２】
0006554407.tif 000013
【図１３】
0006554407.tif 000014
【図１４】
0006554407.tif 000015